(57)【要約】【課題】  記録形式が異なる複数種のリードインエリアを持つ再生専用、追記型、及び書き換え型情報記憶媒体について、各リードインエリアを的確及び短時間に識別する。【解決手段】  情報記憶媒体１は、システムリードインエリア３及びデータリードインエリア４を有し、エリア識別回路２８は光ピックアップヘッド８から提供される再生信号３０に基づいて、光ピックアップヘッド８の光ビーム照射エリアが、前記システムリードインエリア３もしくはデータリードインエリア４であるか識別する。エリア識別回路２８は例えば再生信号３０を二値化した信号から得た０クロス回数を用いて各エリアを識別する。情報再生回路５０はエリア識別回路２８の識別結果に基づいて、前記再生信号から情報を再生する。【選択図】    図６
2005166122.tif 000002
【特許請求の範囲】
【請求項１】
システムリードインエリアとコネクションエリアとデータリードインエリアを有する光ディスクから情報再生を行う光ディスク装置であって、
前記光ディスクに光ビームを照射し、その反射光に対応する再生信号を提供し、前記光ディスクの半径方向に移動可能な光ピックアップヘッドと、
前記光ピックアップヘッドから提供される前記再生信号に基づいて、該光ピックアップヘッドの光ビーム照射エリアが、前記システムリードインエリアもしくはデータリードインエリアであるを識別する識別手段と、
前記識別手段の識別結果に基づいて、前記再生信号から情報を再生する情報再生手段と、
を具備することを特徴とする光ディスク装置。
【請求項２】
前記識別手段は、
前記再生信号をスライスレベルに基づいて二値化する二値化手段と、
前記二値化手段から得られる二値化信号の前記光ディスク単位回転数あたりの０クロス回数を計数する計数手段と、
前記システムリードインエリア及びデータリードインエリアの両エリアについて予め求めた前記二値化信号の０クロス回数から算出される閾値を格納する手段と、
前記計数手段により計数された前記０クロス回数と前記閾値を比較する比較手段を具備し、
前記比較手段の比較結果に基づいて、前記光ピックアップヘッドの前記光ビーム照射エリアを識別することを特徴とする請求項１項記載の光ディスク装置。
【請求項３】
前記二値化手段のスライスレベルは、前記再生信号の直流成分に応じて変動することを特徴とする請求項１記載の光ディスク装置。
【請求項４】
前記識別手段は、前記再生信号を第１スライスレベルを用いて二値化する第１二値化手段と、
前記第１二値化手段から得られる二値化信号の前記０クロス回数を計数する第１計数手段と、
前記再生信号を前記第１スライスレベルとは所定レベルだけ異なる第２スライスレベルを用いて二値化する第２二値化手段と、
前記第２二値化手段から得られる二値化信号の前記０クロス回数を計数する第２計数手段と、
前記第１及び第２計数手段により計数された前記二値化信号の前記０クロス回数を互いに比較する手段を具備し、
前記比較手段の比較結果に基づいて、前記光ピックアップヘッドの前記光ビーム照射エリアを識別することを特徴とする請求項１記載の光ディスク装置。
【請求項５】
第１及び第２スライスレベルは、前記再生信号の直流成分に応じて変動することを特徴とする請求項３記載の光ディスク装置。
【請求項６】
前記識別手段は、
再生信号から前記ディスクに記録された記録マーク長の最大値を計測する手段と、
前記システムリードインエリア及びデータリードインエリアの両エリアについて予め求めた最大記録マーク長の閾値と、前記計測手段により計測された前記記録マーク長の最大値を比較する比較手段とを具備し、
前記比較手段の比較結果に基づいて光ピックアップヘッドの前記光ビーム照射エリアを識別することを特徴とする請求項１項記載の光ディスク装置。  
【請求項７】
前記識別手段は、
前記再生信号をヒステリシスを有する二値化回路を用いて二値化する第１二値化手段と、
前記第１二値化手段から得られる二値化信号の前記０クロス回数を計数する第１計数手段と、
前記再生信号をヒステリシスを有さない二値化回路を用いて二値化する第２二値化手段と、
前記第２二値化手段から得られる二値化信号の前記０クロス回数を計数する第２計数手段と、
前記第１及び第２計数手段により計数された前記二値化信号の前記０クロス回数を互いに比較する手段を具備し、
前記比較手段の比較結果に基づいて、前記光ピックアップヘッドの前記光ビーム照射エリアを識別することを特徴とする請求項１記載の光ディスク装置。
【請求項８】
前記光ピックアップヘッドから提供される前記再生信号を基に、トラックエラー信号を生成する生成手段と、
前記光ビームがディスク上のトラックをトレースするように、前記トラックエラー信号に基づいてトラックサーボを行い、前記光ピックアップヘッドの移動を制御するトラックサーボ手段と、
前記トラックエラー信号を二値化する二値化手段と、
ディスク内周側から外周側へ前記トラックサーボをＯＦＦして前記光ピックアップヘッドを移動する移動手段と、
前記移動手段により前記光ピックアップヘッドが移動している際に、前記トラックエラー信号の前記所定単位回転あたりの０クロス回数を計数する計数手段と、
計数手段の計数結果に応じて、前記光ビーム照射エリアを識別する手段を具備することを特徴とする請求項１記載の光ディスク装置。
【請求項９】
前記光ピックアップヘッドから提供される前記再生信号を基に、トラックエラー信号を生成する生成手段と、
前記光ビームがディスク上のトラックをトレースするように、前記トラックエラー信号に基づいてトラックサーボを行い、前記光ピックアップヘッドの移動を制御するトラックサーボ手段と、
前記識別手段により識別された前記システムリードインから、外周側へ前記トラックサーボをＯＦＦして前記光ピックアップヘッドを移動する移動手段と、
前記移動手段により前記光ピックアップヘッドが移動している際に、前記トラックエラー信号の単位時間当りの０クロス回数を計数する計数手段と、
前記クロス回数が０のとき、前記光ビーム照射エリアを前記コネクションエリアと判断し、更に前記光ピックアップヘッドを外周側へ移動し、クロス回数が１以上となったときにトラックサーボをＯＮし、前記エリア識別手段を用いてエリア識別を行う制御手段と、
を具備することを特徴とする請求項１記載の光ディスク装置。
【請求項１０】
システムリードインエリアとコネクションエリアとデータリードインエリアを有する光ディスクから情報を再生する方法であって、
前記光ディスクに光ビームを照射し、その反射光に対応する再生信号に基づいて、該光ピックアップヘッドの光ビーム照射エリアが、前記システムリードインエリアもしくはデータリードインエリアであるかを識別するステップと、
前記識別手段の識別結果に基づいて、前記再生信号から情報を再生するステップと、
を具備することを特徴とする情報再生方法。
【請求項１１】
前記認識するステップは、
前記再生信号をスライスレベルに基づいて二値化するステップと、
前記二値化により得られる二値化信号の前記光ディスク単位回転数あたりの０クロス回数を計数するステップと、
前記システムリードインエリア及びデータリードインエリアの両エリアについて予め求めた前記二値化信号の０クロス回数から算出される閾値と、前記計数ステップにより計数された前記０クロス回数とを比較するステップと、
前記比較ステップの比較結果に基づいて、前記光ピックアップヘッドの前記光ビーム照射エリアを識別するステップを具備することを特徴とする請求項１０項記載の情報再生方法。
【請求項１２】
前記光ピックアップヘッドから提供される前記再生信号を基に、トラックエラー信号を生成するステップと、
前記光ビームがディスク上のトラックをトレースするように、前記トラックエラー信号に基づいてトラックサーボを行い、前記光ピックアップヘッドの移動を制御するステップと、 
前記トラックエラー信号を二値化するステップと、
ディスク内周側から外周側へ前記トラックサーボをＯＦＦして前記光ピックアップヘッドを移動するステップと、
前記移動ステップにより前記光ピックアップヘッドが移動している際に、前記トラックエラー信号の前記所定単位回転あたりの０クロス回数を計数するステップと、
計数ステップの計数結果に応じて、前記光ビーム照射エリアを識別するステップを具備することを特徴とする請求項１０記載の情報再生方法。
【発明の詳細な説明】
【技術分野】
【０００１】
本発明は２つのリードインエリアを有する情報記憶媒体の情報再生方法、情報再生装置、及び情報記録再生装置に関する。
【背景技術】
【０００２】
従来の再生専用情報記憶媒体（以下、ＤＶＤ−ＲＯＭ）では、情報記憶媒体の全てがエンボスエリアで、最内周側には属性情報などを格納するためのリードインエリアが設けられ、その外周側にデータエリアがある。両エリアとも、ピットと呼ばれる情報記憶媒体の記録層に設けられた凹凸により情報が記録される。
【０００３】
従来の追記型情報記憶媒体（以下、ＤＶＤ−Ｒ）においても、情報記憶媒体の最内周側にリードインエリア、その外周側にデータエリアがある。リードインエリアには、ランドプリピットによって属性情報などが記録される。データエリアにはグルーブと呼ばれる案内溝があり、内周側のエリアに試し書きや欠陥管理データを記録する。ＤＶＤ−Ｒは一回のみ記録可能で、データエリアのグルーブ上に情報が記録される。
【０００４】
従来の書き換え型情報記憶媒体（以下、ＤＶＤ−ＲＡＭ）においても、情報記憶媒体１の最内周側にリードインエリア、その外周側にデータエリアがある。リードインエリアには、ランドプリピットによって属性情報が記録され、データエリアにはグルーブと呼ばれる案内溝があり、その内周側には試し書きエリアや欠陥管理データ記録エリアが設けられる。ＤＶＤ−ＲＡＭは１万回以上の書き換えが可能で、データエリアのグルーブ及びランドの両方に情報が記録される。記録された情報を再生する際、ランドに書かれた情報とグルーブに書かれた情報を交互に再生する。
【０００５】
このように、ＤＶＤ−ＲＯＭ、ＤＶＤ−Ｒ、ＤＶＤ−ＲＡＭの間で、記録される情報の種類の物理的な配置（物理フォーマット）が互いに異なっている。互いに異なる変調方式で記録され、互いに異なる物理フォーマットを有する２つのデータ領域の識別・再生方法に関する技術が下記特許文献１には開示されている。
【特許文献１】特開昭６３−７０９８４号公報
【発明の開示】
【発明が解決しようとする課題】
【０００６】
上記の通り、各種ＤＶＤの間で記録される情報の種類の物理フォーマットが異なっており、特にＤＶＤ−ＲＡＭはＤＶＤ−ＲＡＭを再生するための特殊な要素を記録再生装置が持たなければ、再生できない問題があった。また、ＤＶＤ−ＲはＤＶＤ−ＲＯＭに比べてエンボスの深さが浅いため、ＤＶＤ−Ｒのリードインエリアの記録ピット長やピット間距離をＤＶＤ−ＲＯＭと同一にすると、ＤＶＤ−Ｒの再生信頼性を下げてしまう問題があった。
【０００７】
更に最近では、従来のＤＶＤディスクの記録容量を大幅に上回る次世代ＤＶＤの開発がＤＶＤ関連企業により行われている。この次世代ＤＶＤでは、情報記録形式が異なる２つのリードインエリアをディスク内周側に設けることが提案されている。
【０００８】
上記特許文献１では、２つのデータ領域を識別する前に、識別情報が記録されたそれぞれのリードインエリアをデータ復調を用いて再生することに差異がある。従って、起動動作が遅い欠点というがある。                                          
従って本発明は、記録形式が異なる複数種のリードインエリアを持つ再生専用、追記型、及び書き換え型情報記憶媒体について、各リードインエリアを的確及び短時間に識別することを目的としている。
【課題を解決するための手段】
【０００９】
上記目的を達成するために本発明の１実施例に係る光ディスク装置は、システムリードインエリアとコネクションエリアとデータリードインエリアを有する光ディスクから情報再生を行う光ディスク装置であって、前記光ディスクに光ビームを照射し、その反射光に対応する再生信号を提供し、前記光ディスクの半径方向に移動可能な光ピックアップヘッドと、前記光ピックアップヘッドから提供される前記再生信号に基づいて、該光ピックアップヘッドの光ビーム照射エリアが、前記システムリードインエリアもしくはデータリードインエリアであるを識別する識別手段と、前記識別手段の識別結果に基づいて、前記再生信号から情報を再生する情報再生手段と、を具備する。
【発明の効果】
【００１０】
記録形式が異なる複数種のリードインエリアを持つ再生専用、追記型、及び書き換え型情報記憶媒体について、各リードインエリアを的確及び短時間に識別することができる。
【発明を実施するための最良の形態】
【００１１】
以下、図面を参照しながら本発明の実施の形態について詳細に説明する。
【００１２】
図１は本実施形態による情報記録再生装置に適用される再生専用／追記型／書換え型の情報記録媒体１の機械的な寸法を示す図である。この情報記録媒体１は記録層を２層有し、各記録層の情報記録密度が現行のＤＶＤディスクより高い所謂次世代ＤＶＤディスクである。図１に示すように情報記憶媒体１は再生専用／追記型／書換え型に依らず機械的な寸法は従来の現行ＤＶＤディスクと一致している。従って、ユーザが間違えて情報記憶媒体１を既存のＤＶＤプレーヤーやＤＶＤレコーダに装着したり、従来の現行ＤＶＤディスクを本実施形態の情報記録再生装置に装着する危険性がある。
【００１３】
その場合にシステムリードインエリアのエンボスピットのトラックピッチと最短エンボスピット長を従来の現行ＤＶＤディスクのリードインエリアのエンボスピット寸法に近い値に設定することで、上記したような場合でも装置内で新旧媒体の識別が可能であり、その媒体種別に応じた動作が可能である。
【００１４】
図２は本実施形態に適用される再生専用情報記憶媒体におけるリードインエリアのデータ構造を説明する図である。このリードインエリアはシステムリードインエリア、コネクションエリア、データリードインエリアを含んでいる。システムリードインエリアは、イニシャルゾーン、バッファゾーン、コントロールデータゾーン、バッファゾーンを含んでいる。コネクションエリアに情報は記録されない。
【００１５】
データリードインエリア内にはリファレンスコードゾーンが配置されている。リファレンスコードは再生回路内での自動回路調整（各タップ係数値等の調整）に使用する。すなわち、データ領域内に記録された情報を安定に再生／検出するために、先に上記リファレンスコードを再生しながら自動回路調整を行う。従って、このリファレンスコードをデータリードインエリア内に配置することで、リファレンスコードでのトラックピッチと最短ピット長をデータ領域内の値に合わせ、再生回路の自動調整精度を向上させることが可能となる。
【００１６】
図３は本実施形態に適用される追記型情報記憶媒体のリードインエリア内のデータ構造を示す図である。追記型情報記憶媒体ではエンボス状のピットが記録されているシステムリードインエリア内に各種媒体に共通なコントロールデータゾーンを持ち、追記型記録マークが記録されるデータリードインエリア内に試し書き用のディスクテストゾーンとドライブテストゾーン及び再生回路調整用の基準信号が記録されたリファレンスコードゾーン及びディスクＩＤゾーン、Ｒ−物理フォーマット情報ゾーンが存在する。
【００１７】
図４は本実施形態に適用される書き換え型情報記録媒体におけるリードインエリアのデータ構造を説明する図である。図４におけるシステムリードインエリアではエンボス状のピットが形成されており、データリードインエリアでは書換え可能な記録マークで形成される。
【００１８】
図４において、イニシャルゾーンはエンボスデータエリアを含む。記録データエリアとしてイニシャルゾーンに記録されたデータフレームのメインデータは“００ｈ”とされる。バッファゾーンは３２個のＥＣＣブロック（１０２４セクタ）を含む。物理セクタとしてイニシャルゾーンに記録されたデータフレームのメインデータは“００ｈ”とされる。コントロールデータゾーンはエンボスデータエリアを含む。データエリアはエンボスコントロールデータを含む。
【００１９】
コネクションエリアは物理セクタ番号あるいは物理アドレスが割当てられていないので、物理セクタ番号あるいは物理アドレスを含まない。ガードトラックゾーンのデータセグメントはデータを含まない。ディスクテストゾーンはディスク製造者による品質テストのためである。ドライブテストゾーンはドライブによるテストのためである。情報記録再生装置はこのドライブテストゾーンに試し書きを行い、記録条件の最適化を図る。更にデータリードインエリアはディスクＩＤゾーン、ＤＭＡ１＆ＤＭＡ２を含んでいる。
【００２０】
本発明に係る再生専用情報記憶媒体及び追記型情報記憶媒体及び書き換え型情報記憶媒体のリードインエリアは、コネクションエリア５を挟んでシステムリードインエリア３とデータリードインエリア４に分割されている。システムリードインエリア３内のイニシャルゾーン／バッファゾーン／コントロールデータゾーン／バッファゾーンのデータ配置内容及びデータ配置順は再生専用情報記憶媒体及び追記型情報記憶媒体及び書き換え型情報記憶媒体のいずれの情報記憶媒体１においても共通構造となっている。本発明に係る追記型情報記憶媒体は、本発明の方法により再生専用情報記憶媒体及び書き換え型情報記憶媒体との再生互換性をもつことができる。また、本発明の情報再生方法、及び情報記録再生装置を用いることで、本発明に係る各情報記憶媒体１に高速アクセスが可能な上、再生動作の信頼性を向上できる。
【００２１】
本実施形態に適用される記録型情報記憶媒体は、上記したようにエンボスピットで記録されたシステムリードインエリアと追記または書換え可能な記録マークで記録されたデータリードインエリアとの間にコネクションゾーンが配置され、システムリードインエリアとデータリードインエリアとの間で距離を置いて配置されるような構成になっている。この記録型情報記憶媒体１では片面のみからの記録・再生が可能な２記録層を有している。一方の記録層から再生している時に他方の記録層で反射する光が光検出器の中に入り込み、再生信号特性を劣化させる層間クロストークと言う現象がある。特に他方の記録層で反射する光がシステムリードインエリアに照射されているかデータリードインエリアに照射されているかで反射量が大きく異なる。従って、２記録層間の相対的な偏心量の違いにより再生対象としている記録層に沿って１周トレースしている間に他方の記録層で反射する光がシステムリードインエリアとデータリードインエリアに交互に出入りすると、層間クロストークの影響が大きくなる。その問題点を回避するため、記録媒体１ではエンボスピットで記録されたシステムリードインエリアと追記または書換え可能な記録マークで記録されたデータリードインエリアとの間にコネクションゾーンを配置し、システムリードインエリアとデータリードインエリアとの距離を離し、層間クロストークの影響を軽減して安定な再生信号が得られるような配置にしている。
【００２２】
コネクションエリア５にはピットや案内溝  （グルーブ）が存在しないため、トラックエラー信号が発生しない。従って、従来の再生動作を行うと、対物レンズをグルーブに沿って移動させるトラックサーボ制御が暴走し、その後の正常な再生動作を続けることができない。本発明では、システムリードインエリア３からデータリードインエリア４への再生動作を安定して行うことができる。
【００２３】
図５は、本発明の情報記憶媒体１を用いた情報記録再生装置（光ディスク装置）の構成を示すブロック図である。
【００２４】
情報記憶媒体１は、スピンドルモータ７の駆動力によって回転する回転テーブル６上に装着される。光ピックアップヘッド８は、半導体レーザー素子、光検出器、対物レンズから構成されている。半導体レーザー素子から発光するレーザー光は対物レンズにより情報記憶媒体１上に集光される。情報記憶媒体１の光反射膜もしくは光反射性記録膜で反射されたレーザー光は光検出器により光電変換される。
【００２５】
光検出器で得られた検出電流はアンプ９により電流−電圧変換されて検出信号となる。この検出信号はフォーカス・トラックエラー検出回路１０で加減算され、フォーカスエラー信号とトラックエラー信号が出力する。フォーカスエラー信号は集光スポットの焦点制御するために必要な信号で、フォーカス・トラックエラー検出回路１０が集光スポットの情報記憶媒体１に対する垂直方向のずれ量（フォーカスエラー信号）を検出して出力する。情報記憶媒体１上には、同心円状もしくはスパイラル状のトラックがあり、このトラックに沿って集光スポットをトレースさせて情報を再生する。トラックエラー信号は集光スポットをトラックに沿い安定してトレースするために必要な信号で、フォーカス・トラックエラー検出回路１０がトラックと集光スポットの相対的ずれ量（トラックエラー信号）を検出して出力する。
【００２６】
対物レンズアクチュエータ駆動回路１１は、光ピックアップヘッド８中の対物レンズを移動させるための駆動回路であり、フォーカス・トラックエラー検出回路１０からのトラックエラー信号と制御部１４からの命令により駆動電流を発生する。対物レンズの移動方向は、情報記憶媒体１に対する垂直方向（フォーカスエラー信号補正用）と、情報記憶媒体１の半径方向（トラックエラー信号補正用）である。光ピックアップヘッド移動機構（送りモータ）１２は、光ピックアップヘッド８を情報記憶媒体１上の任意の位置へ半径方向に移動させるための駆動回路である。光ピックアップヘッド移動機構（送りモータ）１２への駆動電流を供給する回路が、送りモータ駆動回路１３であり、フォーカス・トラックエラー検出回路１０からのトラックエラー信号と制御部１４からの命令により駆動電流が発生する。
【００２７】
＜フォーカスサーボ及びトラックサーボ制御＞
対物レンズアクチュエータ駆動回路１１は、再生処理中ではフォーカスエラー信号、及びトラックエラー信号が最小値になるように、光ピックアップヘッド８に駆動電流を供給する。送りモータ駆動回路１３は、再生処理中ではトラックエラー信号が最小値になるように、光ピックアップヘッド移動機構（送りモータ）１２に駆動電流を供給する。フォーカスエラー信号が最小値となるように焦点制御することを、フォーカスサーボ制御と呼び、制御期間中をフォーカスサーボＯＮ、制御停止中をフォーカスサーボＯＦＦと呼ぶ。トラックエラー信号が最小値となるようにトラックトレース制御することを、トラックサーボ制御と呼び、制御期間中をトラックサーボＯＮ、制御停止中をトラックサーボＯＦＦと呼ぶ。これらのサーボ制御の開始命令及び停止命令は、制御部１４より対物レンズアクチュエータ駆動回路１１及び送りモータ駆動回路１３に送られる。
【００２８】
情報記憶媒体１の中心位置は、回転テーブル２１の中心位置とわずかにずれた偏芯位置を持って装着されている。長時間連続して再生すると、集光スポットの位置が徐々に外周方向もしくは内周方向に移動する。送りモータ駆動回路１３のトラックサーボ制御は、情報記憶媒体１の偏芯による影響を打ち消すことに効果的であり、光ピックアップヘッド８を対物レンズの可動距離より大きい単位で移動させる。対物レンズアクチュエータ駆動回路１１のトラックサーボ制御は、対物レンズを制御するためのものであり、高速にトラック単位で対物レンズを移動させる。
【００２９】
＜光ピックアップヘッド８の目的位置への移動制御＞
移動の前に、制御部１４は対物レンズアクチュエータ駆動回路１１及び送りモータ駆動回路１３にトラックサーボをＯＦＦにするように命令する。送りモータ駆動回路１３はフォーカス・トラックエラー検出回路１０から得られる集光スポットのディスク回転速度及び制御部１４からの目標速度情報との差を演算し、演算結果を考慮した駆動電流を光ピックアップヘッド移動機構（送りモータ）１２へ供給する。これにより、光ピックアップヘッド移動機構（送りモータ）１２は、光ピックアップ８を目標位置へ移動させる。
【００３０】
光ピックアップヘッド８が目標位置へ移動した後、対物レンズアクチュエータ駆動回路１１が、より高精度に再生位置を合わせる。制御部１４は、対物レンズアクチュエータ駆動回路１１及び送りモータ駆動回路１３に対し、トラックサーボＯＮを命令して、集光スポットの現在アドレスまたはトラック番号を得る。制御部１４は、再生位置と現在位置のトラック誤差を演算して、移動に必要なトラック数を対物レンズアクチュエータ駆動回路１１に通知する。対物レンズアクチュエータ駆動回路１１は、トラックサーボをＯＦＦし、制御部１４から入力されたトラック数を元に対物レンズを現在位置から移動させ、移動後トラックサーボをＯＮにする。最後に、制御部１４は集光スポットの現在アドレスもしくはトラック番号を再生して、目標トラックにアクセスしていることを確認する。
【００３１】
＜基準クロック発生回路＞
アンプ９からの出力されるアナログ信号は、二値化回路１５でデジタル信号に変換される。二値化回路１５では、入力信号は、ある電位と比較して、それより高いか低いかという二値情報に変換される。比較元となる電位のことをスライスレベルと呼び、スライスレベルと入力信号が一致した点を０クロスと呼ぶ。二値化された信号はＰＬＬ回路１６に入力し、ＰＬＬ回路１６からは二値化回路１５の出力信号と固定が一致している一定周期の信号が出力する。ＰＬＬ回路１６から出力する一定周期の信号は、復調回路２１などの再生後の二値化信号を扱うデジタル信号処理回路の基準クロックとして使われる。二値化回路１５及び復調回路２１を含む再生回路５０は、ＰＲＭＬ方式に従って再生信号から情報を抽出する情報抽出手段である。
【００３２】
＜スピンドルモータ７の回転制御＞
情報記憶媒体回転速度検出回路１７が情報記憶媒体１の回転数を検出するために、ＰＬＬ回路１６からの基準クロック３２をカウントしている。再生あるいは記録／消去する際には、制御部１４がその半径位置に対応した情報記憶媒体１の回転数のテーブルがある半導体メモリ１９を参照し、ここより得られた情報記憶媒体１の目標回転数を、スピンドルモータ駆動回路１８に通知する。スピンドルモータ駆動回路１８は、この目標回転数と情報記憶媒体回転速度検出回路１７からの情報記憶媒体１の回転数との差を演算し、演算結果を考慮した駆動電流をスピンドルモータ７へ与え、スピンドルモータ７の回転数が一定になるように制御する。
【００３３】
＜レーザー光量制御＞
情報記憶媒体１上の情報を再生及び記録及び消去の切り替えは、情報記憶媒体１に照射する集光スポットの光量を変化させることで行う。
【００３４】
情報再生時には、情報記憶媒体１上には一定の光量を連続的に照射している。
【００３５】
情報記録する際には、再生時の光量にパルス状の断続的光量を上乗せする。半導体レーザー素子が大きな光量でパルス発光した時に情報記憶媒体１の光反射性記録膜が局所的に光学的変化もしくは形状変化を起こし記録マークが形成される。すでに記録されているエリアの上に重ね書きする場合も、同様に半導体レーザー素子をパルス発光させる。
【００３６】
すでに記録されている情報を消去する場合には、再生時よりも大きな一定光量を連続照射する。連続的に情報を消去する場合にはセクター単位など特定周期ごとに照射光量を再生時に戻し、消去処理と平行して間欠的に情報再生を行い、消去トラックに誤りが無いことをトラック番号やアドレスから確認する。
【００３７】
光ピックアップヘッド８には、半導体レーザー素子の発光量を検出するための光検出回路を内蔵している。半導体レーザー駆動回路１９では、その光検出回路出力と記録／再生／消去制御波形発生回路２０から与えられる発光基準信号との差を演算した結果を元にして、半導体レーザーへの駆動電流を光ピックアップヘッド８へ供給している。
【００３８】
＜情報記憶媒体１からの再生信号及び情報記憶媒体１への記録信号＞
記録時では、情報記憶媒体１に記録したい情報が、データ入出力インターフェース部２５で前処理をされた後、記録データバッファ２６に入力する。ＥＣＣエンコーディング回路２４は、記録データバッファ２６から読み出したデータに、ＥＣＣ（Ｅｒｒｏｒ  Ｃｏｒｒｅｃｔｉｏｎ  Ｃｏｄｅ）を付加する。ＥＣＣとは、データの誤り検出及び訂正のために付加する冗長な符号のことである。ＥＣＣを付加されたデータは、変調回路２３へ入力される。変調回路２３では、再生時の信号の直流成分を除き、情報記憶媒体１に対して高密度に情報を記録するために、信号変調を行う。変調回路２３はＥＣＣエンコーディング回路２４から入力されるデータを変調方式に従ってあるビットごとに区切り、変換テーブルを参照して別データへ変換する。記録／再生／消去制御波形発生回路２０では、変調回路２３から入力するデータから、記録波形を生成し、半導体レーザー駆動回路１９へ入力している。
【００３９】
再生時では、光反射膜もしくは光反射性記録膜からの反射光量変化を光ピックアップヘッド８にて検出し、アンプ９、二値化回路１５にて処理され、二値化信号に変換される。復調回路２１は、ＰＬＬ回路１６で得られた基準クロック３２と変換テーブルを元に信号を復調する。復調回路２１がもつ変換テーブルは、変調回路２３と対応している。復調された信号は再生データバッファ２７に記録される。エラー訂正回路２２は、再生データバッファ２７からデータを読み出し、エラー検出及びＥＣＣデコードを行う。
【００４０】
＜情報記録再生装置の起動制御＞
１）  制御部１４がスピンドルモータ駆動回路１８に目標回転数を通知する。スピンドルモータ駆動回路１８からスピンドルモータ７に駆動電流が供給されて、スピンドルモータ７の回転が始まる。
【００４１】
２）  制御部１４が送りモータ駆動回路１３に対して命令を通知し、送りモータ駆動回路１３から光ピックアップヘッド移動機構（送りモータ）１２に駆動電流が供給され、光ピックアップヘッド移動機構（送りモータ）１２が光ピックアップヘッド８を情報記憶媒体１の最内周位置へ移動させる。情報記憶媒体１の情報が記録されているエリアを越えて、バーストカッティングエリア２に光ピックアップヘッド８があることを確認する。
【００４２】
３）  スピンドルモータ７が目標回転数に到達すると、その状態は制御部１４に通知される。
【００４３】
４）  制御部１４が記録／再生／消去制御波形発生回路２０に通知した再生光量信号量に基づき、半導体レーザー駆動回路１９から光ピックアップヘッド８内の半導体レーザー素子に電流が供給され、レーザー発光を始める。ただし、情報記憶媒体１の種類によって、再生時の最適な照射光量が異なる。従って、照射光量の初期値は最小レベルである。
【００４４】
５）  制御部１４が対物レンズアクチュエータ駆動回路１１に対して命令を通知し、対物レンズアクチュエータ駆動回路１１は光ピックアップヘッド８内の対物レンズを情報記憶媒体１から垂直方向に最も離れた位置へ移動させ、次に低速で対物レンズを情報記憶媒体１に近づけるように制御する。
【００４５】
６）  フォーカス・トラックエラー検出回路１０でフォーカスずれ量を観測し、焦点があった位置に対物レンズがきたとき、制御部１４にその状態を通知する。制御部１４がこの通知を受け取ると、対物レンズアクチュエータ駆動回路１１に対してフォーカスサーボＯＮの命令を通知する。
【００４６】
７）  制御部１４は送りモータ駆動回路１３に命令を通知し、送りモータ駆動回路１３が光ピックアップヘッド８を情報記憶媒体１の外周方向へ移動させる。
【００４７】
８）  再生された信号をモニターして、光ピックアップヘッド８が情報記憶媒体１上のバーストカッティングエリア２より外周方向へ到達したら、光ピックアップヘッド８の移動を停止する。
【００４８】
９）  トラックサーボＯＮにする。
【００４９】
１０）  情報記憶媒体１のシステムリードインエリア３及びデータリードインエリア４を再生する。情報記憶媒体１に記録されている例えば「再生時の最適光量」情報及び「記録／消去時の最適光量」情報は、制御部１４を経由して半導体メモリ１９に書き込まれる。制御部１４は、「再生時の最適光量」の情報を記録／再生／消去制御波形発生回路２０に通知し、再生時の半導体レーザー素子の発光量を再設定する。
【００５０】
＜情報記録再生装置の終了制御＞
１）  制御部１４が対物レンズアクチュエータ駆動回路１１及び送りモータ駆動回路１３へトラックサーボＯＦＦの命令を通知し、トラックサーボをＯＦＦする。
【００５１】
２）  制御部１４が対物レンズアクチュエータ駆動回路１１へフォーカスサーボＯＦＦの命令を通知し、フォーカスサーボをＯＦＦする。
【００５２】
３）  制御部１４が記録／再生／消去制御波形発生回路２０へ半導体レーザー素子の発光の停止命令を通知し、半導体レーザー素子の発光を停止する。
【００５３】
４）  制御部１４がスピンドルモータ駆動回路１８へ目標回転数として０を通知する。
【００５４】
情報記憶再生装置の起動制御におけるシステムリードインエリア３及びデータリードインエリア４の再生では、各エリアの識別及びコネクションエリア５の安定した飛び越えが必要である。以下で、システムリードインエリア３及びデータリードインエリア４上から情報を再生するために必要なエリア識別回路２８及びコネクションエリア５の飛び越え回路２９について説明する。
【００５５】
エリア識別回路２８を使ってシステムリードインエリア３から情報を再生する方法について説明する。
【００５６】
図５のエリア識別回路２８に入力する信号は、光ピックアップヘッド８で検出され、アンプ９により振幅調整及びノイズ除去された再生信号３０である。エリア識別回路２８を使ったエリア識別方法として、ここでは以下に示す４種類の方法を提供する。
【００５７】
１）再生信号３０を二値化した信号の０クロス回数から識別する方法。
【００５８】
２）再生信号３０を基準電位で二値化した信号の０クロス回数と、異なるスライスレベルで二値化した信号の０クロス回数から識別する方法。
【００５９】
３）記憶マーク長から識別する方法。
【００６０】
４）ヒステリシス特性をもつスライスレベルで二値化した信号と、ヒステリシス特性をもたないスライスレベルで二値化した信号の０クロス回数から識別する方法。
【００６１】
図６は再生信号３０を二値化した信号から得た０クロス回数を用いてエリア識別する方法（以下、方法１）を使い、システムリードインエリア３から情報を再生するまでを説明しているフローチャートである。以下で、方法１について説明する。
【００６２】
エリアの識別及びシステムリードインエリア３読み出し開始処理（ＳＴ１）とは、制御部１４がフォーカスサーボＯＮの状態で、バーストカッティングエリア２からシステムリードインエリア３付近に光ピックアップヘッド８を移動する処理を示す。次に制御部１４はトラックサーボをＯＮにし（ＳＴ２）、スピンドルモータ７の回転数を情報記憶媒体１の半径位置に対応した回転数に設定する（ＳＴ３）。次に、エリア識別回路２８にて再生信号３０の０クロス回数を求める（ＳＴ４）。
【００６３】
図７は、方法１で用いられるエリア識別回路２８の構成を示す回路図である。ここで、再生信号３０は方法１に係る二値化回路３１によって二値化信号に変換され、カウンタ４３で情報記憶媒体１のＮ回転あたりの０クロス回数が求められる。情報記憶媒体１の回転数Ｎは任意に決められる。回転数情報を得るため、スピンドルモータ７から回転パルス３３がエリア識別回路２８に入力している。回転パルス３３はスピンドルモータ７の例えば所定回転角度ごとに１パルス出力される。
【００６４】
ここで、システムリードインエリア、データリードインエリアからの再生信号の違いについて説明する。前述したように、システムリードインエリアのエンボスピットのトラックピッチと最短エンボスピット長は、現行ＤＶＤディスクのリードインエリアのエンボスピット寸法に近い値に設定され、従って情報記録密度も同様である。一方、データリードインエリアの情報記録密度は、システムリードインエリアの記録密度より高い。従って、データリードインエリアに記録された情報の再生信号周波数は、システムリードインエリアに記録される情報の再生信号周波数より例えば数倍程度高い。
【００６５】
また、システムリードインエリアからの再生信号には符号間干渉はないが、データリードインエリアからの再生信号は符号間干渉の影響を受ける。図８Ａ及び図８Ｂはは符号間干渉を説明するための図であり、縦軸は信号強度、横軸は距離または時間を示す。図８Ａのように単一の記録マークからの再生信号は集光スポット強度分布の影響で広がりを持つ。図８Ｂは記録マーク間の距離が集光スポットサイズに比べて小さい場合の再生波形を示している。このように記録マーク間の距離が詰まっている場合、再生信号は符号間干渉の影響を受けた波形となる。データリードインエリアでは、記録マーク間の距離が短いため、符号間干渉の影響を受ける。
【００６６】
図９は上記符号間干渉の発生もしくは低周波成分が重畳した再生信号を、固定スライスレベルで二値化するときの動作を説明するための図である。
【００６７】
低周波成分が重畳している再生信号を、ある電位で固定されたスライスレベルで二値化を行うと、デューティー比（この例では約２：１）が偏ってしまい、安定した二値化を行うことができない。図７に示す二値化回路３１は比較器４０、積分回路４１、差動増幅器４２を含み、図９のように低周波成分が重畳している再生信号の二値化に適している。
【００６８】
差動増幅器４２は同相成分のノイズ除去のために設けられている。積分器４１は、ある時点までに入力された信号を平均化する。二値化回路３１は積分器の出力信号（入力信号の平均値）を基準として再生信号３０を二値化することにより、再生信号３０に含まれる直流成分（低周波成分）の影響を除いて二値化を行う。
【００６９】
図１０〜図１２は様々な条件における二値化回路３１の各ノードＡ〜Ｅの波形を示す。説明を簡単化するため、図１０、図１１では再生信号に低周波成分ノイズが重畳されていないものとする。
【００７０】
図１０は初期のスライスレベル（ノードＤ：積分回路４１の出力閾値電圧）が所望のレベル（デューティ比が１：１のレベル）より高い場合の動作を示す図である。初期のスライスレベルがＶＴＨ１の場合、ノードＣの波形はスライスレベル以上となる期間が少ない。積分器４１では、充電期間よりも放電期間のほうが長くなり、ノードＤの電圧は徐々に低下する。その結果、スライスレベルはＶＴＨ１からＶＴＨ２に降下し、所望の値に設定される。
【００７１】
図１１は初期のスライスレベルが所望のレベル（デューティ比が１：１のレベル）より低い場合の動作を示す図である。初期のスライスレベルがＶＴＨ３の場合、ノードＣの波形はスライスレベル以上になる期間が長く、積分器４１では充電期間よりも放電期間の方が短くなり、ノードＤの電圧は徐々に上昇する。その結果、スライスレベルはＶＴＨ３からＶＴＨ４に上昇し、所望の値に設定される。所望の値にスライスレベルが設定されると、デューティ比が１：１となり、積分器４１での充電期間と放電期間がつりあった状態となる。
【００７２】
図１２は低周波成分が重畳している再生信号を二値化する動作を説明するための図である。周波数成分の影響で所望のスライスレベルより高いレベル（ＶＴＨＳ）にある場合も、前述した積分回路の和信号の平均化の効果で、スライスレベルはＶＴＨ６、ＶＴＨ７へと降下する。この結果、常に適切なスライスレベルが設定される。
【００７３】
次に図７のエリア識別回路２８のカウンタ４３、ホールド回路４４周辺動作を説明する。図１３はカウンタ４３、ホールド回路４４周辺の信号波形を示す図である。二値化信号（ノードＡ上の信号）はカウンタ４３にクロック入力として入力する。この二値化信号の立ち上がり及び立ち下がりは、スライスレベル（ノードＤ電圧）と入力信号（再生信号３０）の電圧が一致した点を示し、上記０クロス点である。従って０クロス回数はスピンドルモータ（即ち記録媒体１）の所定回転数あたりの二値化信号パルス数に等しい。つまり０クロス回数とは、記録媒体がＮ回転する間に発生した二値化信号のパルス数に等しい。
【００７４】
スピンドルモータの回転を示す回転パルス３３（ノードＨ上の信号）が入力すると、ホールド回路４４ではホールド信号を、カウンタ４３ではカウンタリセット信号を内部で生成する。そして、スピンドルモータからの回転パルスに同期したタイミングでホールド回路４４はカウンタ値をホールドし、カウンタ４３はリセットする。尚、図１３では信号伝播遅延はないものとして各波形が示されている。
【００７５】
制御部１４は、半導体メモリ１９から０クロス回数の所定閾値を読み出し、その閾値とホールド回路４４がホールドしている０クロス回数と比較する（ＳＴ５）。方法１で用いられる所定閾値（０クロス回数）は例えば、予め測定されたシステムリードインエリア３における０クロス回数とデータリードインエリア４における再生信号の０クロス回数の中間値とする。このように半導体メモリ１４ａには本実施形態及び後述される様々な実施形態において参照される閾値が格納され、閾値格納部として機能する。
【００７６】
所定閾値より０クロス回数が小さい場合には、光ピックアップヘッド８の位置（光ビームのディスク上照射位置）システムリードインエリア３であると判断され（ＳＴ６）、制御部１４は後段の再生回路５０（二値化回路１５及び復調回路２１）における処理の切り替えを行い、システムリードインエリア３から情報を読み取り（ＳＴ７）、エリアの識別及びシステムリードインエリア３読み出しを終了する。
【００７７】
閾値より０クロス回数が大きい場合には、データリードインエリア４であると判断する（ＳＴ８）。制御部１４はトラックサーボをＯＦＦして、光ピックアップヘッド８をディスク最内周側のバーストカッティングエリア２まで移動させる（ＳＴ９）。
【００７８】
ここで上記再生回路５０について説明する。再生回路５０は前述したように図５の二値化回路１５及び復調回路２１を含み、ＰＲＭＬ(Partial Response and Maximum Likelihood)信号処理を行って再生信号３０から情報を抽出する。また図８を参照して説明したように、データリードインエリアの再生信号は符号化干渉の影響が大きく、データとして読むためにはＰＲＭＬ信号処理をする必要がある。一方、システムリードインエリアでは、上記したように従来の二値化回路でデータを読み出すことができるが、本実施形態の場合はＰＲＭＬ処理によりシステムリードインエリアの再生信号を読み出す。この場合、システムリードインエリアとデータリードインエリアとは異なる処理パラメータに設定する必要がある。従って、制御部１４はエリアの識別をデータの読み出し前に行い、後段の再生回路５０における処理の切り替えをする。この”処理の切り替え”とは再生回路５０の処理パらメータの設定（または変更）を意味する。
【００７９】
以上説明したように本実施形態によれば、再生回路５０を用いたデータ内容の解析をする前に、光ピックアップヘッド８のビーム照射位置がシステムリードインエリア３かデータリードインエリア４かの識別を行い、再生回路５０の処理パラメータを各エリアに最適になるように切り替える。従って、各リードインエリアの解読精度を高める事が容易となる。その結果、情報再生装置及び情報記録再生装置の起動からデータエリアの読み出しまでの時間を削減できる。
【００８０】
次に本発明による第２の実施形態を説明する。図１４は本発明のエリア識別方法のうち、再生信号３０を基準電位で二値化した信号の０クロス回数と、これとは異なるスライスレベルにより二値化した信号の０クロス回数から識別する方法（以下、方法２）を使い、システムリードインエリア３から情報を再生するまでを示すフローチャートである。以下で、方法２について説明する。
【００８１】
エリアの識別及びシステムリードインエリア読み出し開始処理（ＳＴ１）とは、制御部１４がフォーカスサーボＯＮの状態で、バーストカッティングエリア２からシステムリードインエリア３付近に光ピックアップヘッド８を移動する処理を示す。次に制御部１４はトラックサーボをＯＮにし（ＳＴ２）、スピンドルモータ７の回転数を情報記憶媒体１の半径位置に対応した回転数にする（ＳＴ３）。次に、再生信号３０の０クロス回数を観測する（ＳＴ４）。次にステップＳＴ４とは異なるスライスレベルを使い、０クロス回数を観測する（ＳＴ１０）。
【００８２】
図１５は、方法２で用いられるエリア識別回路２８である。再生信号３０は基準電位Ｖ１による二値化回路３７より二値化信号に変換されると同時に、基準電位Ｖ１とは異なるスライスレベル（Ｖ’＋Ｖ１）を参照する二値化回路３８を使い二値化信号に変換され、カウンタで情報記憶媒体１のＮ回転数あたりの０クロス回数をそれぞれ求める。情報記憶媒体１の回転数Ｎは任意に決められる。回転数情報を得るため、スピンドルモータ７より、回転パルス３３がエリア識別回路２８に入力している。２つのスライスレベルの差分Ｖ’は、２つのカウンタでの０クロス回数の差分量を比較した時に、システムリードインエリア３とデータリードインエリア４で有意差があるように、例えば実験により決定される。
【００８３】
データリードインエリア４からの再生信号に重畳している低周波成分は、前述したようにシステムリードインエリア３の場合より大きい。従って、異なるスライスレベルで二値化した場合、その０クロス回数の差はデータリードインエリア４の方がシステムリードインエリア３より大きい。
【００８４】
制御部１４は、方法２で用いられるエリア識別回路２８の２つのカウンタ４３ａ、４３ｂからホールド回路４４ａ、４４ｂを介して０クロス回数を読み出して、差分量を演算する。次に、半導体メモリ１９から０クロス回数の差分量の閾値を読み出して、それと演算結果の差分量を比較する。方法２で用いられる閾値は、システムリードインエリア３とデータリードインエリア４において予め求めた０クロス回数の差分量の中間値とする。
【００８５】
差が小さい場合には、システムリードインエリア３である（ＳＴ６）と判断され、システムリードインエリア３から情報を読み取り（ＳＴ７）、エリアの識別及びシステムリードインエリア３読み出し終了する。差が大きい場合には、データリードインエリア４であると判断される（ＳＴ８）。制御部１４はトラックサーボをＯＦＦして、光ピックアップヘッド８をディスク最内周側のバーストカッティングエリア２まで移動させる（ＳＴ９）。
【００８６】
図１６は本発明のエリア識別方法のうち、記憶マーク長から識別する方法（以下、方法３）を使い、システムリードインエリア３から情報を再生するまでを示すフローチャートである。以下で、方法３について説明する。
【００８７】
エリアの識別及びシステムリードインエリア３読み出し開始処理（ＳＴ１）とは、制御部１４がフォーカスサーボＯＮの状態で、バーストカッティングエリア２からシステムリードインエリア３付近に光ピックアップヘッド８を移動する処理を示す。次に制御部１４はトラックサーボをＯＮにし（ＳＴ２）、スピンドルモータ７の回転数を情報記憶媒体１の半径位置に対応した回転数にする（ＳＴ３）。次に、記憶マーク間隔を求める（ＳＴ２１）。
【００８８】
図１７は方法３で用いられるエリア識別回路２８である。この回路は、記憶マーク間隔の最大値を求めるための積分回路３９と再生信号３０を二値化してエッジ検出する回路３５とＡ／Ｄ変換回路３６を含む。方法３での積分回路３９は、ＳＷを再生信号３０の立ち下がりエッジで短絡し、立ち上がりエッジで開放することで、記憶マーク長に比例した電圧が１段目回路４５から出力される。２段目回路４６は１段目回路４５の最大電位を保持するように働くため、Ｖｏは記憶マークの最大値に比例する。
【００８９】
図１８は図１７に示すエリア識別回路２８の各ノードにおける信号波形を示す。記録マークに応じて、図１８の再生信号３０のような再生信号が得られ、ノードＭの二値化信号が生成される。この立下りエッジと立ち上がりエッジがエッジ判別回路３５で検出される。立ち下がりエッジでスイッチＳＷをＯＦＦにし、立ち上がりエッジでＳＷをＯＮにするように、エッジ判別回路３５からスイッチに対して制御信号が出力される。
【００９０】
ＳＷをＯＮ，ＯＦＦすることにより、ノードＬでは、のこぎり波状の充電電圧（点線）が生成される。積分回路３９の１段目回路４５はボルテージフォロワ回路であるから、ノードＬと同じ電位が出力側にも生じる。その出力電流により、コンデンサＣ１に電荷が蓄えられ、このピーク電位が出力信号Ｖｏとして発生する。Ｒ１によりＣ１は放電を行い、例えばコネクションエリアで長時間記録マークがない状態が続くとこのピーク電位は０Ｖとなる。Ｒ１とＣ１の積が放電時間と比例するので、Ｒ１の抵抗値を調節するなどで、ピーク電位保持時間が調整される。
【００９１】
ＶｏはＡ／Ｄ変換器３６によりＡ／Ｄ変換されて、制御部１４より参照される。制御部１４は半導体メモリ１９から閾値を読み出し、Ｖｏと比較する（ＳＴ２２）。方法３で用いられる閾値は、システムリードインエリア３及びデータリードインエリア４において予め求めたＶｏの中間値とする。閾値より大きい場合には、システムリードインエリア３であると判断され（ＳＴ６）、システムリードインエリア３から情報を読み取り（ＳＴ７）、エリアの識別及びシステムリードインエリア３読み出しを終了する。閾値より小さい場合には、データリードインエリア４であると判断される（ＳＴ８）。制御部１４はトラックサーボをＯＦＦして、光ピックアップヘッド８をディスク最内周側のバーストカッティングエリア２まで移動させる（ＳＴ９）。  
図１９は本発明のエリア識別方法のうち、ヒステリシス特性をもつスライスレベルで再生信号を二値化した信号と、ヒステリシス特性をもたないスライスレベルで二値化した信号の０クロス回数から識別する方法（以下、方法４）を使い、システムリードインエリア３から情報を再生するまでを示すフローチャートである。以下で、方法４について説明する。
【００９２】
エリアの識別及びシステムリードインエリア３読み出し開始処理（ＳＴ１）とは、制御部１４がフォーカスサーボＯＮの状態で、バーストカッティングエリア２からシステムリードインエリア３付近に光ピックアップヘッド８を移動する処理を示す。次に制御部１４がトラックサーボをＯＮにし（ＳＴ２）、スピンドルモータ７の回転数を情報記憶媒体１の半径位置から対応した回転数にする（ＳＴ３）。次に、ヒステリシス二値化し、０クロス回数を求める（ＳＴ３１）。同様に、ヒステリシスをもたないスライスレベルで二値化し、０クロス回数を求める（ＳＴ３２）。
【００９３】
図２０は方法４で用いられるエリア識別回路２８である。ヒステリシス二値化回路３４は、スライスレベルを２つ持ち、再生信号３０の電位が上昇する時と、下降する時とで、異なる２つのスライスレベルを使用する。ヒステリシス二値化回路３４を使うと、信号振幅が一定しない再生信号３０については、その０クロス回数が減少する特徴をもつ。データリードインエリア４からの再生信号に重畳している低周波成分は、前述したようにシステムリードインエリア３の場合より大きい。従ってデータリードインエリア４では、ヒステリヒスを持たない二値化回路４７を用いて再生信号を二値化したときの０クロス回数と、ヒステリシス二値化回路３４を用いて二値化したときの０クロス回数との差分は比較的大きい。一方、システムドインエリア４では、ヒステリヒスを持たない二値化回路４７を用いての信号を二値化ときの０クロス回数と、ヒステリシス二値化回路３４を用いて二値化したときの０クロス回数との差分は比較的小さい。これら差分の違いに基づいて本実施形態ではエリア識別が行われる。
【００９４】
再生信号３０はヒステリシス二値化回路３４により二値化信号へ変換されると同時に、ヒステリシスをもたない二値化回路４７によって二値化信号へ変換され、それぞれのカウンタ４３ａ、４３ｂで情報記憶媒体１のＮ回転数あたりの０クロス回数が求められる。
【００９５】
情報記憶媒体１の回転数Ｎは任意に決められる。回転数情報を得るため、スピンドルモータ７より、回転パルス３３がエリア識別回路２８に入力している。ヒステリシス二値化回路３４における２つのスライスレベルの差分は、両エリア間で有意差があるように予め決定される。即ちこのスライスレベルの差分は、方法４のエリア識別回路２８における２つのカウンタ４３ａ、４３ｂで計数された０クロス回数の差分量を、システムリードインエリア３とデータリードインエリア４のそれぞれで比較した時に、明確な差が生じるように決定される。
【００９６】
制御部１４は、方法４で用いられるエリア識別回路２８から２つの０クロス回数を読み出し、その差分量を演算する。次に、半導体メモリ１９から０クロス回数の差分量の閾値を読み出して、それと演算結果の差分量を比較する（ＳＴ３３）。方法４で用いられる閾値は、ヒステリシス二値化回路３４による０クロス回数とヒステリシスをもたない二値化回路４７による０クロス回数の差分量を、システムリードインエリア３及びデータリードインエリア４のそれぞれで求め、それらの中間値に設定する。差分量が閾値より小さい場合には、システムリードインエリア３である判断され（ＳＴ６）、システムリードインエリア３から情報を読み取り（ＳＴ７）、エリアの識別及びシステムリードインエリア３読み出し終了する。差分量が閾値より小さい場合には、データリードインエリア４であると判断される（ＳＴ８）。制御部１４はトラックサーボをＯＦＦして、光ピックアップヘッド８をディスク最内周側のバーストカッティングエリア２まで移動させる（ＳＴ９）。
【００９７】
次にコネクションエリア飛び越え回路２９を使ったデータリードインエリア４から情報を再生する実施形態について説明する。この実施形態では、トラックサーボをＯＦＦして、システムリードインエリア３、コネクションエリア５、及びデータリードインエリア４からのトラックエラー信号の０クロス回数を順に識別して、光ピックアップヘッド８はコネクションエリア５を飛び越える（高速移動する）。
【００９８】
図５のコネクションエリア飛び越え回路２９には、フォーカス・トラックエラー検出回路１０から出力するトラックエラー信号が入力する。図２１は本実施形態に係るコネクションエリア５の飛び越え方法を示すフローチャート、図２２はコネクションエリア飛び越え回路２９の構成を示す回路図である。
【００９９】
上記ステップＳＴ７のように、エリアの識別及びシステムリードインエリア３を読み出した後、制御部１４はコネクションエリア５の飛び越え処理を行う。まず、制御部１４がトラックサーボをＯＦＦにする（ＳＴ４１）。飛び越え回路２９は、トラックエラー信号を比較器５１により二値化し、カウンタ５２でカウントし、ホールド回路５３により情報記憶媒体１のＮ回転あたりの０クロス回数が保持される（ＳＴ４２）。情報記憶媒体１の回転数Ｎは任意に決められる。回転数情報を得るため、スピンドルモータ７より、回転パルス３３がコネクションエリア飛び越え回路２９に入力している。
【０１００】
制御部１４は、光ピックアップヘッド８を情報記憶媒体１の外周方向へ移動させ（ＳＴ４３）、コネクションエリア飛び越え回路２９のホールド回路５３が保持しているトラックエラー信号の０クロス回数を参照する（ＳＴ４４）。参照の結果、０クロス回数が１回以上であれば、光ピックアップヘッド８のビームスポットがシステムリードインエリア３にあることが分かるため、制御部１４はさらに光ピックアップヘッド８を情報記憶媒体１の外周方向へ移動させるために、送りモータ駆動回路１３に移動命令を通知する（ＳＴ４３）。０クロス回数が０回であれば、光ピックアップヘッド８がコネクションエリア５にあることが分かる（ＳＴ４６）。
【０１０１】
光ピックアップヘッド８がコネクションエリア５に到達したら、さらにピックアップヘッド５を情報記憶媒体１の外周方向へ移動させる（ＳＴ４７）。次に、制御部１４はコネクションエリア飛び越え回路２９がもつトラックエラー信号の０クロス回数を参照する（ＳＴ４８）。参照の結果、０クロス回数が０回であれば、光ピックアップヘッド８がコネクションエリア５にあることが分かるため、制御部１４はさらに光ピックアップヘッド８を情報記憶媒体１の外周方向へさらに移動させるために、送りモータ駆動回路１３に移動命令を通知する（ＳＴ４７）。０クロス回数が１回以上であれば、光ピックアップヘッド８がデータリードインエリア４にある可能性がある（ＳＴ４９）。
【０１０２】
次に、制御部１４は、ステップＳＴ４２で得られた０クロス回数とステップＳＴ４８で得られた０クロス回数を参照し、ステップＳＴ４８での０クロス回数がステップＳＴ４２での０クロス回数の１．５倍以上であるか判断する（ＳＴ５０）。この”１．５倍”は、システムリードインエリア３とデータリードインエリア４からの再生信号の平均的な周波数の違いから求められる値である。１．５倍以下である場合には、光ピックアップヘッド８がシステムリードインエリア３にあるか、異常状態であると判断し、ステップＳＴ１へ戻り、再びエリアの識別及びシステムリードインエリア３読み出し動作を開始する。１．５倍以上である場合には、光ピックアップヘッド８がデータリードインエリア４にあると判断し（ＳＴ５１）、コネクションエリア５の飛び越え処理を終了し、データリードインエリア４上にある情報の再生処理などの処理へ進む。システムリードインエリア３で得られる０クロス回数に対するデータリードインエリア４で得られる０クロス回数の比率の閾値は、１．５以外の値も取れるものとする。
【０１０３】
図２３はコネクションエリア５の飛び越え終了後の処理を示すフローチャートである。
【０１０４】
先ず制御部１４はトラックサーボをＯＮにして（ＳＴ６１）、エリア識別回路２８を用いて、前述した方法１〜４の１つ又は複数の方法に従って、光ビーム照射エリアがデータリードインエリアであるか確認する（ＳＴ６２）。データリードインエリアであった場合（ＳＴ６３でＹｅｓの場合）、制御部１４は再生回路５０のパラメータの切り替え等の処理を行い、データリードインエリアに記録された情報を読み出し（ＳＴ６４）、必要な情報を読み出すと、データリードインエリア読出し終了となる。ＳＴ６３においてデータリードインエリアではないと判断されると、制御部１４は光ピックアップヘッド８がシステムリードインエリア３にあるか、異常状態であると判断し、ステップＳＴ１へ戻り、エリアの識別及びシステムリードインエリア３読み出し動作を開始する。ここで制御部１４はトラックサーボをＯＦＦし、最内周から外周側にピックアップヘッドを移動させ、ステップＳＴ４５のようにトラックエラー信号の０クロス回数を基にしてトラックを探し、トラックを検出したら前記方法１〜４を用いて再びエリアの識別を行っても良い。
【０１０５】
このように本実施形態によれば、トラックサーボＯＦＦの状態で光ピックアップヘッド８を移動させるため、光ピックアップヘッド８がコネクションエリア５に到達し、トラックエラー信号を検出できない状態でも、安定した制御でコネクションエリア５を飛び越えることができる。
【０１０６】
また、各エリアに記録されているデータを読み出し、データ内容の解析することなく、コネクションエリア５を飛び越えることができるため、情報再生装置及び情報記録再生装置の起動からデータエリアの読み出し開始までの時間を削減できる。
【０１０７】
以上の説明はこの発明の実施の形態であって、この発明の装置及び方法を限定するものではない。又、各実施形態における構成要素、機能、特徴あるいは方法ステップを適宜組み合わせて構成される装置又は方法も本発明に含まれるものである。
【図面の簡単な説明】
【０１０８】
【図１】情報記憶媒体１を構成する各エリアの寸法図。
【図２】再生専用情報記憶媒体におけるリードインエリアのデータ構造説明図。
【図３】追記型情報記憶媒体におけるリードインエリアのデータ構造説明図。
【図４】書き換え型情報記憶媒体におけるリードインエリアのデータ構造説明図。
【図５】本発明の情報記憶媒体１を用いた情報記録再生装置の構成を示すブロック図
【図６】方法１を用いてシステムリードインエリア３から情報を再生する処理を示すフローチャート。
【図７】方法１で用いられるエリア識別回路２８の構成を示す図。
【図８Ａ】符号間干渉を説明するための図。
【図８Ｂ】符号間干渉を説明するための図。
【図９】符号間干渉または他の原因で低周波成分が重畳した再生信号を、固定スライスレベルで二値化するときの動作を説明するための図。
【図１０】二値化回路３１の各ノードＡ〜Ｅの波形を示す図。
【図１１】二値化回路３１の各ノードＡ〜Ｅの他の波形を示す図。
【図１２】二値化回路３１の各ノードＡ〜Ｅの他の波形を示す図。
【図１３】カウンタ４３、ホールド回路４４周辺の信号波形を示す図。
【図１４】本発明の方法２を用いてシステムリードインエリア３から情報を再生する処理を示すフローチャート。
【図１５】方法２で用いられるエリア識別回路２８の構成を示す図。
【図１６】方法３を用いてシステムリードインエリア３から情報を再生する処理示すフローチャート。
【図１７】方法３で用いられるエリア識別回路２８構成を示す図。
【図１８】図１７に示すエリア識別回路２８の各ノードにおける信号波形を示す図。
【図１９】方法４を用いてシステムリードインエリア３から情報を再生する処理を示すフローチャート。
【図２０】方法４で用いられるエリア識別回路２８の構成を示す図。
【図２１】コネクションエリア５の飛び越え方法を示すフローチャート。
【図２２】コネクションエリア飛び越え回路２９の構成を示す図。
【図２３】コネクションエリア５の飛び越え終了後の処理を示すフローチャート。
【符号の説明】
【０１０９】
３５…エッジ判別回路、３６…Ａ／Ｄ変換器、４０…比較器、４１…積分回路、４２…差動増幅器、４３…カウンタ、４４…ホールド回路。
【図１】
2005166122.tif 000003
【図２】
2005166122.tif 000004
【図３】
2005166122.tif 000005
【図４】
2005166122.tif 000006
【図５】
2005166122.tif 000007
【図６】
2005166122.tif 000008
【図７】
2005166122.tif 000009
【図８Ａ】
2005166122.tif 000010
【図８Ｂ】
2005166122.tif 000011
【図９】
2005166122.tif 000012
【図１０】
2005166122.tif 000013
【図１１】
2005166122.tif 000014
【図１２】
2005166122.tif 000015
【図１３】
2005166122.tif 000016
【図１４】
2005166122.tif 000017
【図１５】
2005166122.tif 000018
【図１６】
2005166122.tif 000019
【図１７】
2005166122.tif 000020
【図１８】
2005166122.tif 000021
【図１９】
2005166122.tif 000022
【図２０】
2005166122.tif 000023
【図２１】
2005166122.tif 000024
【図２２】
2005166122.tif 000025
【図２３】
2005166122.tif 000026